(57)【要約】      （修正有）【課題】設置角度に拘わらず、所定以上の大きさの振動を検出し、発光素子を点灯させる非常用点灯器具を提供する。【解決手段】トリガスイッチ部１０は、一方向に直線状に延設され、該延設方向に直交する円周に沿って等間隔を空けて交互に配置されることにより円筒状の空間７を形成する複数の正電極棒５及び複数の負電極棒６と、前記円筒状の空間に転動自在に収容され、少なくとも表面に導電性を有すると共に、隣り合ういずれか一組の前記正電極棒と負電極棒とによって支持される球体８と、を備え、前記一組の正電極棒と負電極棒によって支持された前記球体を介して前記正電極棒と負電極棒とが電気的に導通され、少なくとも前記正電極棒と負電極棒のいずれかと、前記球体との接触が解除されることによりトリガ信号Ｓ１が生成される。【選択図】図１
0003182678.tif 000002
【実用新案登録請求の範囲】
【請求項１】
トリガ信号を出力可能なトリガスイッチ部と発光素子とを備え、前記トリガスイッチ部から出力されたトリガ信号に基づき前記発光素子を点灯させる非常時点灯器具であって、
前記トリガスイッチ部は、
一方向に直線状に延設され、該延設方向に直交する円周に沿って等間隔を空けて交互に配置されることにより円筒状の空間を形成する複数の正電極棒及び複数の負電極棒と、前記円筒状の空間に転動自在に収容され、少なくとも表面に導電性を有すると共に、隣り合ういずれか一組の前記正電極棒と負電極棒とによって支持される球体と、を備え、
前記一組の正電極棒と負電極棒によって支持された前記球体を介して前記正電極棒と負電極棒とが電気的に導通され、少なくとも前記正電極棒と負電極棒のいずれかと、前記球体との接触が解除されることにより前記トリガ信号が生成されることを特徴とする非常時点灯器具。
【請求項２】
前記トリガスイッチ部において、
前記複数の正電極棒及び複数の負電極棒は、その両端側に設けられた一対の壁面に支持され、
前記一対の壁面上には、それぞれドーム状または錐体形状の突起が設けられ、
前記複数の正電極棒及び複数の負電極棒が所定角度以上傾斜した状態で、前記球体は、前記突起と、隣り合ういずれか一組の前記正電極棒と負電極棒とによって支持されることを特徴とする請求項１に記載された非常時点灯器具。
【請求項３】
前記トリガスイッチ部から出力されたトリガ信号に基づき、所定時間の間、所定電圧を出力するタイマ部を備え、
前記発光素子は、前記タイマ部から出力される電圧によって点灯することを特徴とする請求項１または請求項２に記載された非常時点灯器具。
【考案の詳細な説明】
【技術分野】
【０００１】
本考案は、非常時点灯器具に関し、例えば地震による振動発生時に所定時間の間、照明点灯する非常時点灯器具に関する。
【背景技術】
【０００２】
特許文献１には、地震などの非常時に振動を検知して、照明を点灯させる感振点灯スイッチが開示されている。この特許文献１に開示の感振点灯スイッチについて図７、図８を用いて説明する。図７、図８は、感振点灯スイッチ２００の断面図であり、図７はスイッチオフ状態、図８はスイッチオン状態を示している。
図示する感振点灯スイッチ２００は、樹脂からなる横長の躯体２０１を有し、この躯体２０１の内部に球体２０２が転動可能な玉登り走行路２０３と玉落ち込み路２０４とが連通して形成されている。
尚、前記球体２０２は、磁性金属であって、表面に導電性を持たせるために金属メッキ処理が施されている。
【０００３】
前記玉登り走行路２０３は、登り傾斜となっており、その下端側に前記球体２０２を収容する玉収容部２０５が設けられ、前記玉落ち込み路２０４に続く上方側に頂部２０６が設けられている。
尚、平常時（スイッチオフ時）には、図７に示すように球体２０２は、重力により前記玉収容部２０５に収容されている。また、この玉登り走行路２０３は、図面奥行き方向に弧を描くように湾曲した傾斜カーブ（図示せず）を有しており、所定以上の大きさの振動を受けると、球体２０２は振動と傾斜カーブのガイド作用とにより頂部２０に向かって転動する（登り傾斜を上る）ようになっている。
【０００４】
一方、前記玉落ち込み路２０４は、前記頂部２０６からの下り傾斜となっており、その下端側に前記球体２０２を収容可能な玉収容部２０７が設けられている。前記玉収容部２０７には、球体２０２を吸着保持するための磁石２０８と、周面に取り付けられた一対の板バネ２０９、２１０が設けられており、前記板バネ２０９、２１０には、それぞれ電線２１１，２１２が接続されている。
また、図８に示すように球体２０２が磁石２０８に吸着保持されると、前記板バネ２０９と板バネ２１０とが球体２０２を介して導通するように構成されている。
【０００５】
尚、電線２１１は、例えば電池（電源）の＋極に接続され、電線２１２は、例えばＬＥＤ（図示せず）の＋極に接続される。また、前記電池の−極と前記ＬＥＤの−極とは接続され、前記板バネ２０９，２１０をスイッチ部とする回路が形成される。
【０００６】
このように構成された感振点灯スイッチ２００においては、図７に示すように平常時には、球体２０２は玉登り走行路２０３の玉収容部２０５に収容されている。
地震などにより所定以上の大きさの震動が発生した場合、前記したように球体２０２は、振動と傾斜カーブのガイド作用により玉登り走行路２０３を頂部２０６に向けて転動する。そして、球体２０２は頂部２０６を越えると、重力により玉落ち込み路２０４を転げ落ち、玉収容部２０７において磁石２０８により吸着保持される。
このとき、球体２０２は板バネ２０９，２１０により狭持され、板バネ２０９、２１０は球体２１０を介して導通状態となる。板バネ２０９、２１０が導通すると、電気的に接続された前記ＬＥＤに電池から電圧供給されて点灯する。
【０００７】
このように、特許文献１に開示された感振点灯スイッチ２００によれば、地震などで大きな振動が生じた際に、スイッチオンの状態とすることができるため、地震による夜間停電などの非常時に、直ぐさま明かりを確保することができる。
【先行技術文献】
【特許文献】
【０００８】
【特許文献１】実用新案登録第３１８０４２０号公報
【考案の概要】
【考案が解決しようとする課題】
【０００９】
しかしながら、特許文献１に開示された感振点灯スイッチ２００にあっては、玉登り走行路２０３及び玉落ち込み路２０４の傾斜角度によって球体２０２の転動動作が大きく影響されるため、設置角度の調整（路の傾斜角度などの微調整）が容易ではないという課題があった。
即ち、設置後の玉登り走行路２０３の登り傾斜が緩やかすぎる場合には、微小な振動であっても球体２０２が転動して玉落ち込み路２０４に転げ落ち、必要がなくてもスイッチオンの状態（図７の状態）になることがあった。
一方、設置後の玉登り走行路２０３の登り傾斜が大きすぎる場合には、大きな振動が生じても球体２０２が十分に転動せず、スイッチオンの状態に至らないことがあった。
【００１０】
また、前記のように感振点灯スイッチ２００の設置角度が限定されるため、壁など垂直面上に固定した状態で使用することになり、自宅などの建物内に使用が限られるという課題があった。
【００１１】
本考案は、前記した点に着目してなされたものであり、振動発生時に発光素子を点灯させる非常時点灯器具において、設置角度に拘わらず、所定以上の大きさの振動を検出し、発光素子を点灯させることのできる非常時点灯器具を提供することを目的とする。
【課題を解決するための手段】
【００１２】
前記目的を達成するため、本考案に係る非常時点灯器具は、トリガ信号を出力可能なトリガスイッチ部と発光素子とを備え、前記トリガスイッチ部から出力されたトリガ信号に基づき前記発光素子を点灯させる非常時点灯器具であって、前記トリガスイッチ部は、一方向に直線状に延設され、該延設方向に直交する円周に沿って等間隔を空けて交互に配置されることにより円筒状の空間を形成する複数の正電極棒及び複数の負電極棒と、前記円筒状の空間に転動自在に収容され、少なくとも表面に導電性を有すると共に、隣り合ういずれか一組の前記正電極棒と負電極棒とによって支持される球体と、を備え、前記一組の正電極棒と負電極棒によって支持された前記球体を介して前記正電極棒と負電極棒とが電気的に導通され、少なくとも前記正電極棒と負電極棒のいずれかと、前記球体との接触が解除されることにより前記トリガ信号が生成されることに特徴を有する。
【００１３】
尚、前記トリガスイッチ部において、前記複数の正電極棒及び複数の負電極棒は、その両端側に設けられた一対の壁面に支持され、前記一対の壁面上には、それぞれドーム状または錐体形状の突起が設けられ、前記複数の正電極棒及び複数の負電極棒が所定角度以上傾斜した状態で、前記球体は、前記突起と、隣り合ういずれか一組の前記正電極棒と負電極棒とによって支持されることが望ましい。
また、前記トリガスイッチ部から出力されたトリガ信号に基づき、所定時間の間、所定電圧を出力するタイマ部を備え、前記発光素子は、前記タイマ部から出力される電圧によって点灯することが望ましい。
【００１４】
このように構成された非常時点灯器具によれば、トリガスイッチ部は、その設置角度に拘わらず、平常時において球体が必ず一組の電極棒（正電極棒と負電極棒）によって支持され、正電極棒と負電極棒とは球体を介して導通状態とされる。
また、球体は転動自在であるため、振動発生時には球体を瞬間的に浮き上がらせ、正電極棒と負電極棒とを一時的に非導通状態とすることができる。
即ち、これにより振動発生時にパルス状のトリガ信号を生成することができ、そのトリガ信号を発光素子の点灯制御に用いることができる。
また、前記のようにトリガスイッチ部の設置角度に拘わらず、振動を検出することが可能であるため、例えば、非常時点灯器具を非常用袋の中に無造作に入れた状態であっても、地震などの大きな振動発生時に発光素子を所定時間の間、点灯させることができる。
また、トリガスイッチ部の設置角度は限定されないため、非常時点灯器具は、定位置に常時固定する必要がなく、あらゆる場所に持ち出して使用することができる。
【考案の効果】
【００１５】
本考案によれば、振動発生時に発光素子を点灯させる非常時点灯器具において、設置角度に拘わらず、所定以上の大きさの振動を検出し、発光素子を点灯させることのできる非常時点灯器具を得ることができる。
【図面の簡単な説明】
【００１６】
【図１】図１は、本考案に係る非常時点灯器具の斜視図（一部破断）である。
【図２】図２は、図１のＡ−Ａ矢視断面図である。
【図３】図３は、トリガスイッチ部を立設した状態を示す斜視図である。
【図４】図４は、図３のＢ−Ｂ矢視断面図である。
【図５】図５は、回路ボックスに内蔵されるタイマ回路である。
【図６】図６は、図５のタイマ回路の動作を説明するためのタイミング図である。
【図７】図７は、従来の感振点灯スイッチにおけるスイッチオフ状態を示す断面図である。
【図８】図８は、図７の感振点灯スイッチにおけるスイッチオフ状態を示す断面図である。
【考案を実施するための形態】
【００１７】
以下、本考案の実施の形態を図面に基づき説明する。図１は、本考案に係る非常時点灯器具の斜視図（内部を説明するために一部破断）である。
本考案の非常時点灯器具１は、図示するように略直方体形状の絶縁材料（例えばプラスチック材料）からなるケーシング２と、ケーシング２の長手方向の一端側に順に連結された回路ボックス３と透明な照明カバー４とを備えている。
尚、本実施の形態においては、図示するようにケーシング２と回路ボックス３と照明カバー４とを全て略直方体形状としたが、その形状は限定されるものでなく、他の形状（例えば連結方向を軸方向とした円柱形状）に形成されていてもよい。
【００１８】
前記ケーシング２の内部には、トリガスイッチ部１０が設けられている。このトリガスイッチ部１０は、ケーシング２の長手方向に直線状に延設され、図２（図１のＡ−Ａ矢視断面図）に示すように円周に沿って等間隔を空けて交互に配置された複数の正電極棒５及び複数の負電極棒６を有している。前記複数の正電極棒５及び負電極棒６は、それらの両端側がケーシング２の長手方向両側の側壁２ａ，２ｂ（一対の壁面）によって支持されている。また、前記のように円周に沿って等間隔に配置された複数の正電極棒５と負電極棒６とにより、その内部に円筒状の空間７が形成されている。
尚、同じ極性の電極棒同士は、例えば前記側壁２ａ，２ｂにプリント形成された配線（図示せず）によって電気的に接続され、異なる極性の電極棒同士は接触しないように配線されている。
【００１９】
また、前記空間７には、表面に導電性を持たせるために金属メッキ処理が施された球体８が転動自在に収容されている。この球体８の大きさは、図２に示すように隣り合う一組の電極棒（正電極棒５と負電極棒６）によって下部が支持されるように直径が決められている。即ち、正電極棒５と負電極棒６の２つの電極棒で球体８を支持している状態において正電極棒５と負電極棒６とが導通するようになされている。
また、複数の正電極棒５と負電極棒６とは、円周に沿って交互に等間隔を空けて配置されているため、円周方向のどの位置が下端にあろうとも、下端側に位置する一組の電極棒（正電極棒５と負電極棒６）によって球体８が支持されるように構成されている。
【００２０】
また、前記円筒状の空間７において、前記側壁２ａ，２ｂには、それぞれ前記円筒の軸方向に突起するドーム状突起１１，１２が設けられている。
このドーム状突起１１、１２が設けられていることにより、ケーシング２を所定角度以上傾斜させた場合、或いは図３に示すように、前記ドーム状突起１１、１２のいずれかを下方にしてケーシング２を直立させた場合に、球体８がドーム状突起１１，１２の傾斜によって突起周部に転動するようになっている。
即ち、それにより球体８は、一組の電極棒（正電極棒５と負電極棒６）と、ドーム状突起１１（１２）とによって支持され、正電極棒５と負電極棒６とが球体８を介して導通状態となるように構成されている。
【００２１】
尚、前記ドーム状突起１１、１２のいずれかを下方にしてケーシング２を直立させた場合には、図４（図３のＢ−Ｂ矢視断面図）に示すように、球体８がドーム状突起１１（１２）のいずれかの径方向に転げ落ちるが（図４では例として実線及び鎖線で示す）、いずれの径方向に転動した場合であっても、球体８はいずれか一組の電極棒（正電極棒５と負電極棒６）と、ドーム状突起１１（１２）とによって支持されるようになっている。
【００２２】
このようにケーシング２内に設けられたトリガスイッチ部１０にあっては、ケーシング２の設置状態に拘わらず、球体８は必ず一組の電極棒（正電極棒５と負電極棒６）によって支持されるため、正電極棒５と負電極棒６とを球体８を介して導通状態とすることができる。
また、球体８は、前記円筒形状の空間７内に転動自在に収容されているため、振動発生時には球体８は瞬間的に浮き上がり（即ち、接触状態が解除され）、その後、元に戻る、或いは転動して他の一組の電極棒（正電極棒５と負電極棒６）によって支持される。したがって、一時的に正電極棒５と負電極棒６とを非導通状態とすることができ、パルス状のトリガ信号を生成することができる。
【００２３】
また、回路ボックス３は、図５に一例として示すタイマ回路１５を内蔵している。このタイマ回路１５は、トリガスイッチ部１０から生じたトリガ信号によって、所定時間の間、電球２０を点灯させる機能を有する回路である。尚、前記電球２０は、図１に示すように透明な前記照明カバー４内に配置されており、その前方、及び周囲に光が均等に拡散して照射されるように構成されている。
また、前記回路１５の構成は、前記機能を有するものであれば、特に限定されないが、本実施の形態にあっては、図示するように例えば汎用のタイマＩＣ２１（５５５タイプなど）を用いている。
【００２４】
前記タイマ回路１５において、前記タイマＩＣ２１の電源端子２７には、例えば乾電池からなる電源２６の＋端子から電源供給されている。
また、トリガスイッチ部１０の正電極棒５と前記電源２６の＋電極とは、所定の抵抗Ｒ２を介して接続されている。
また、トリガスイッチ部１０の負電極棒６、タイマＩＣ２１のグランド端子２８、電球２０の負電極はグランドに接続されている。
【００２５】
タイマＩＣ２１は、ディスチャージ端子２２、スレッショルド端子２３、トリガ端子２４、出力端子２５などを有している。
ディスチャージ端子２２はＩＣ内部でトランジスタ（図示せず）に接続され、スタンバイ時にはトランジスタが導通しているため（オフの状態）、放電状態となり、それと同電位のスレッショルド端子２３の電圧は、図６のタイミング図に示すように略０Ｖとなっている。
【００２６】
また、前記トランジスタは、トリガ端子２４へのトリガ信号Ｓ１の入力によってオン状態となり、それによりコンデンサＣ１には電源２６（電池）の＋端子から、抵抗Ｒ１を介して充電が開始されるようになされている。これにより、スレッショルド端子２３の電位は図６に示すように徐々に上昇するようになっている。
また、前記トリガ信号Ｓ１が入力されると、出力端子２５から電源電圧とほぼ同じハイレベル（以下、Ｈレベルと称する）の電圧が出力開始され、スレッショルド端子２３の電圧が所定の電圧（制御電圧）に達すると前記Ｈレベルの電圧出力が停止されるようになっている。即ち、出力端子２５からＨレベルの電圧が出力されている間は、電球２０が点灯するようになっている。
【００２７】
また、前記スレッショルド端子２３の電圧が前記所定の電圧（制御電圧）に達すると、ＩＣ内の前記トランジスタが導通してオフ状態となり、ディスチャージ端子２２に接続されたコンデンサＣ１の電荷が放電され、スレッショルド端子２３の電圧がローレベル（以下、Ｌレベルと称する）に戻るように構成されている。
【００２８】
このように構成された非常時点灯器具１にあっては、平常時（スタンバイ時）において、図１に示したようにケーシング２を横置きにしても、図３のように縦置きであっても、或いはケーシング２全体を傾斜させた状態であっても、トリガスイッチ部１０の球体８が正電極棒５と負電極棒６とに支持される。
このとき、正電極棒５と負電極棒６とは導通状態であるため、タイマＩＣ２１のトリガ端子２４には、図６に示すようにＨレベルの電圧が入力されている。
【００２９】
そして、地震などにより所定以上の大きさの振動が発生すると、球体８は瞬間的に浮き上がり、正電極棒５と負電極棒６とが一時的に非導通状態となる。これにより、図６に示すようにトリガ端子２４への入力が瞬間的にローレベル（Ｌレベル）となるトリガ信号Ｓ１が生成される。
前記トリガ信号Ｓ１が発生すると、前記したようにタイマＩＣ２１の出力端子２５からは、スレッショルド端子２３の電圧が所定値に達するまでの間、Ｈレベルの電圧出力が開始され、その間、電球２０が点灯することとなる。
【００３０】
以上のように本実施の形態によれば、ケーシング２内に設けられたトリガスイッチ部１０にあっては、ケーシング２の設置角度に拘わらず、平常時において球体８が必ず一組の電極棒（正電極棒５と負電極棒６）によって支持され、正電極棒５と負電極棒６とは球体８を介して導通状態とされる。
また、球体８は転動自在であるため、振動発生時には球体８を瞬間的に浮き上がらせ、正電極棒５と負電極棒６とを一時的に非導通状態とすることができる。
即ち、これにより振動発生時にパルス状のトリガ信号を生成することができ、そのトリガ信号を電球２０の点灯制御に用いることができる。
また、前記のようにケーシング２（トリガスイッチ部１０）の設置角度に拘わらず、振動を検出することが可能であるため、例えば、非常時点灯器具１を非常用袋の中に無造作に入れた状態であっても、地震などの大きな振動発生時に電球２０を所定時間の間、点灯させ、明かりを確保することができる。
また、ケーシング２（トリガスイッチ部１０）の設置角度は限定されないため、非常時点灯器具１は、定位置に常時固定する必要がなく、あらゆる場所に持ち出して使用することができる。
【００３１】
尚、前記実施の形態においては、正電極棒５及び負電極棒６の両端を支持する側壁２ａ，２ｂに、ドーム状突起１１、１２を設けたが、突起形状はドーム形状に限らず、錐体形状（例えば円錐状）であってもよい。
また、前記実施の形態においては、発光素子は単に電球２０として示したが、白熱電球の他、ＬＥＤ電球など、あらゆる発光素子を適用することができる。
【符号の説明】
【００３２】
１          非常時点灯器具
２          ケーシング
３          回路ボックス
４          照明カバー
５          正電極棒
６          負電極棒
７          空間
８          球体
１０        トリガスイッチ部
１１        ドーム状突起（突起）
１２        ドーム状突起（突起）
１５        タイマ回路（タイマ部）
２０        電球（発光素子）
２１        タイマＩＣ
【図１】
0003182678.tif 000003
【図２】
0003182678.tif 000004
【図３】
0003182678.tif 000005
【図４】
0003182678.tif 000006
【図５】
0003182678.tif 000007
【図６】
0003182678.tif 000008
【図７】
0003182678.tif 000009
【図８】
0003182678.tif 000010